(57)【要約】【課題】ユーザに応じて伝送端末を効率的に設定できるようにすることを目的とする。【解決手段】画像又は音声通信を行う伝送端末であって、ユーザの生体情報を取得する第一取得部と、取得された前記生体情報と関連付けられた前記ユーザの識別情報を特定する特定部と、特定された前記識別情報と関連付けられた前記伝送端末がネットワークに接続する際に用いる第一設定情報を読み込む読込部と、読み込まれた前記第一設定情報を用いて当該伝送端末のネットワーク設定を設定する設定部と、を有する、伝送端末を提供する。【選択図】図５
2015061086.tif 000002
【特許請求の範囲】
【請求項１】
画像又は音声を伝送する伝送端末であって、
ユーザの生体情報を取得する第一取得部と、
取得された前記生体情報と関連付けられた前記ユーザの識別情報を特定する特定部と、
特定された前記識別情報と関連付けられた前記伝送端末がネットワークに接続する際に用いる第一設定情報を読み込む読込部と、
読み込まれた前記第一設定情報を用いて当該伝送端末のネットワーク設定を設定する設定部と、
を有する、伝送端末。
【請求項２】
特定された前記識別情報と関連付けられた、当該伝送端末と通信可能な他の伝送端末の端末情報を取得する第二取得部
をさらに有する、請求項１に記載の伝送端末。
【請求項３】
前記第二取得部は、当該伝送端末及び他の伝送端末との間の通信を管理する伝送管理システムから、前記端末情報を取得する、
請求項２に記載の伝送端末。
【請求項４】
取得された前記端末情報を表示する表示部
をさらに有し、前記端末情報は、前記他の伝送端末の識別情報を含む、
請求項３に記載の伝送端末。
【請求項５】
前記第二取得部は、前記伝送管理システムから、前記他の伝送端末の状態情報をさらに取得し、
前記表示部は、前記他の伝送端末の識別情報とともに、前記状態情報を表示する、
請求項４に記載の伝送端末。
【請求項６】
前記特定部が前記ユーザの識別情報を特定できなかった場合に、当該伝送端末で利用可能な機能を制限するか否かの設定を表す第二設定情報を記憶する記憶部と、
前記第二設定情報に応じて、前記ユーザに当該伝送端末で利用可能な機能を制限する制御部と、
を有する、請求項１乃至５の何れか一項に記載の伝送端末。
【請求項７】
前記第一設定情報は、当該伝送端末の表示言語の設定を表す第三設定情報を含む、
請求項１乃至６の何れか一項に記載の伝送端末。
【請求項８】
前記生体情報は、前記ユーザの顔、指紋若しくは静脈を撮像して得られる画像情報又は前記ユーザの声を録音して得られる音声情報である、
請求項１乃至７の何れか一項に記載の伝送端末。
【請求項９】
新たなユーザの生体情報の登録を受け付ける受付部と、
前記新たなユーザの識別情報を取得する第三取得部と、
前記新たなユーザから第一設定情報の入力を受け付ける入力部と、
前記新たなユーザの生体情報、識別情報及び前記第一設定情報を記憶する第二記憶部と、
を有する、請求項１乃至８の何れか一項に記載の伝送端末。
【請求項１０】
前記受付部は、当該伝送端末が、前記他の伝送端末との通信の終了に応じて、前記生体情報の登録を受け付ける、
請求項９に記載の伝送端末。
【請求項１１】
画像又は音声通信を行うプログラムであって、コンピュータに、
ユーザの生体情報を取得する第一取得ステップと、
取得された前記生体情報と関連付けられた前記ユーザの識別情報を特定する特定ステップと、
特定された前記識別情報と関連付けられた前記コンピュータがネットワークに接続する際に用いる第一設定情報を読み込む読込ステップと、
読み込まれた前記第一設定情報を用いて前記コンピュータのネットワーク設定を設定する設定ステップと、
を実行させる、プログラム。
【発明の詳細な説明】
【技術分野】
【０００１】
本発明は、伝送端末及びプログラムに関する。
【背景技術】
【０００２】
インターネット等の通信ネットワークを介して、遠隔地との間で、遠隔会議を行う会議システムが普及している。この会議システムにおいては、遠隔会議を行う出席者等の当事者の一方がいる会議室において、遠隔会議システムの端末装置を用いて会議の当事者などの会議室の画像および発言などの音声を撮影および収集し、それをデジタルデータに変換して相手方の端末装置に送信し、相手方の会議室のディスプレイに表示およびスピーカにより音声出力して、実際の会議に近い状態で遠隔地間の会議を行う。
【０００３】
会議システムに用いられる伝送端末は、昨今の技術の進歩により、容易に持ち運ぶことが可能な程度まで、小型化がなされている。従って、ユーザは、ある場所で使用した伝送端末を、持ち運んで別の場所に設置し、その場所に応じた設定を行ったうえで、新たに遠隔会議を実行することができる。特許文献１には、場所によらず装置を利用できるように、装置の使用場所に応じて装置のネットワーク設定を自動的に変更できる技術が開示されている。
【発明の概要】
【発明が解決しようとする課題】
【０００４】
例えば、伝送端末を複数のユーザで共有して利用する場合には、自分以外のユーザが伝送端末を他の場所で使用することにより、伝送端末のネットワーク設定が書き換えられる可能性がある。従って、ユーザは、場合によっては遠隔会議を実行する度にネットワーク設定をし直す必要があり、手間がかかっていた。
【０００５】
本発明は、このような問題に鑑みてなされたものであり、ユーザに応じて伝送端末のネットワーク設定を効率的に設定できるようにすることを目的とする。
【課題を解決するための手段】
【０００６】
上述した課題を解決し目的を達成するため、本発明の一実施形態における伝送端末は、
画像又は音声通信を行う伝送端末であって、
ユーザの生体情報を取得する第一取得部と、
取得された前記生体情報と関連付けられた前記ユーザの識別情報を特定する特定部と、
特定された前記識別情報と関連付けられた前記伝送端末がネットワークに接続する際に用いる第一設定情報を読み込む読込部と、
読み込まれた前記第一設定情報を用いて当該伝送端末のネットワーク設定を設定する設定部と、
を有する。
【発明の効果】
【０００７】
本発明によれば、ユーザに応じて伝送端末のネットワーク設定を効率的に設定できるようになる。
【図面の簡単な説明】
【０００８】
【図１】本発明の一実施形態に係る伝送システムの概略図。
【図２】本実施形態に係る端末の外観図。
【図３】本実施形態に係る伝送端末のハードウェア構成図。
【図４】本実施形態に係る伝送管理システムのハードウェア構成図。
【図５】本実施形態に係る伝送システムを構成する伝送端末、中継装置及び伝送管理システムの機能ブロック図。
【図６】宛先リスト管理テーブルを示す概念図。
【図７】個人認証設定管理テーブルを示す概念図。
【図８】管理者パスワード管理テーブルを示す概念図。
【図９】個人用設定の登録処理を示すフローチャート。
【図１０】宛先リストの取得処理を示すフローチャート。
【図１１】会議終了後の個人用設定の登録処理を示すフローチャート。
【図１２】個人用設定登録処理を示すシーケンス図。
【図１３】個人用設定適用処理を示すシーケンス図。
【図１４】個人用設定登録問合せ処理を示すシーケンス図。
【図１５】初期設定画面の例を表す図。
【図１６】個人用設定画面の例を表す図。
【図１７】個人用設定画面の例を表す図。
【図１８】個人用設定画面の例を表す図。
【図１９】個人用設定画面の例を表す図。
【図２０】個人用設定画面の例を表す図。
【図２１】初期設定画面の例を表す図。
【図２２】管理者用設定画面の例を表す図。
【図２３】管理者用設定画面の例を表す図。
【図２４】問合せ画面の例を表す図。
【図２５】宛先端末ＩＤの登録画面の例を表す図。
【図２６】宛先リストの表示画面の例を表す図。
【図２７】変更品質管理テーブルを示す概念図。
【図２８】中継装置管理テーブルを示す概念図。
【図２９】伝送端末認証管理テーブルを示す概念図。
【図３０】伝送端末管理テーブルを示す概念図。
【図３１】セッション管理テーブルを示す概念図。
【図３２】アドレス優先度管理テーブルを示す概念図。
【図３３】伝送速度優先度管理テーブルを示す概念図。
【図３４】品質管理テーブルを示す概念図。
【発明を実施するための形態】
【０００９】
以下、本発明の実施形態を図面に基づいて説明する。
【００１０】
＜＜実施形態の全体構成＞＞
図１は、本発明の本実施形態に係る伝送システム１の概略図である。
【００１１】
また、伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、画像又は音声通信を用いたテレビ会議システムやテレビ電話システム等が例として挙げられる。
【００１２】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定した上で、伝送システム、伝送管理システム、及び伝送端末について説明する。即ち、本発明の伝送端末及び伝送管理システムは、テレビ会議システムに適用されるだけでなく、コミュニケーションシステム、又は伝送システムにも適用される。
【００１３】
まず、図１に示されている伝送システム１は、複数の伝送端末（１０ａａ，１０ａｂ，…）、各伝送端末（１０ａａ，１０ａｂ，…）用のディスプレイ（１２０ａａ，１２０ａｂ，…）、複数の中継装置（３０ａ，３０ｂ，３０ｃ，３０ｄ）、伝送管理システム５０、プログラム提供システム９０、及びメンテナンスシステム１００によって構築されている。
【００１４】
複数の伝送端末１０は、コンテンツデータの一例としての画像データ及び／又は音声データの送受信による伝送を行う。
【００１５】
なお、以下では、「伝送管理システム」を単に「管理システム」として表す。また、複数の伝送端末（１０ａａ，１０ａｂ，…）のうち任意の伝送端末は、「伝送端末１０」と表され、複数のディスプレイ（１２０ａａ，１２０ａｂ，…）のうち任意のディスプレイは「ディスプレイ１２０」と表され、複数の中継装置（３０ａ，３０ｂ，３０ｃ，３０ｄ）のうち任意の中継装置は「中継装置３０」と表されている。更に、テレビ会議の開始を要求する要求元としての端末は「要求元端末」と表され、要求先である宛先（中継先）としての端末は「宛先端末」と表されている。
【００１６】
また、伝送システム１において、要求元端末と宛先端末との間では、管理システム５０を介して、各種の管理情報を送受信するための管理情報用セッションが確立される。また、要求元端末と宛先端末との間では、中継装置３０を介して、高解像度の画像データ、中解像度の画像データ、低解像度の画像データ、及び音声データの４つの各データを送受信するための４つのセッションが確立される。
【００１７】
図１に示されている中継装置３０は、複数の伝送端末１０の間で、コンテンツデータの中継を行う。管理システム５０は、伝送端末１０からのログイン認証、伝送端末１０の通話状況の管理、宛先リストの管理等、及び中継装置３０の通信状況等を一元的に管理する。なお、画像データの画像は、動画であっても静止画であってもよく、動画と静止画の両方であってもよい。
【００１８】
複数のルータ（７０ａ，７０ｂ，７０ｃ，７０ｄ，７０ａｂ，７０ｃｄ）は、画像データ及び音声データの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００１９】
プログラム提供システム９０は、後述のＨＤ(Hard Disk)２０４を備えており、伝送端末１０に各種機能を実現させる（又は、伝送端末１０を各種手段として機能させる）ための伝送端末用プログラムが記憶され、伝送端末１０に伝送端末用プログラムを送信することができる。また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。更に、プログラム提供システム９０のＨＤ２０４には、管理システム５０に各種機能を実現させる（又は、管理システム５０を各種手段として機能させる）ための伝送管理用プログラムも記憶されており、管理システム５０に、伝送管理用プログラムを送信することができる。
【００２０】
メンテナンスシステム１００は、伝送端末１０、中継装置３０、管理システム５０、及びプログラム提供システム９０のうちの少なくとも１つの維持、管理、又は保守を行うためのコンピュータである。例えば、メンテナンスシステム１００が国内に設置され、伝送端末１０、中継装置３０、管理システム５０、又はプログラム提供システム９０が国外に設置されている場合、メンテナンスシステム１００は、通信ネットワーク２を介して遠隔的に、伝送端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、伝送端末１０、中継装置３０、管理システム５０、及びプログラム提供システム９０のうちの少なくとも１つにおける機種番号、製造番号、販売先、保守点検、又は故障履歴の管理等のメンテナンスを行う。
【００２１】
ところで、伝送端末（１０ａａ，１０ａｂ，１０ａｃ，・・・）、中継装置３０ａ、及びルータ７０ａは、ＬＡＮ２ａによって通信可能に接続されている。伝送端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２２】
一方、伝送端末（１０ｃａ，１０ｃｂ，１０ｃｃ，・・・）、中継装置３０ｃ、及びルータ７０ｃは、ＬＡＮ２ｃによって通信可能に接続されている。伝送端末１０ｄ（ａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００２３】
また、管理システム５０、及びプログラム提供システム９０は、インターネット２ｉを介して、伝送端末１０、及び中継装置３０と通信可能に接続されている。管理システム５０、及びプログラム提供システム９０は、地域Ａ又は地域Ｂに設置されていてもよいし、これら以外の地域に設置されていてもよい。
【００２４】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく、WiFi（登録商標）（Wireless Fidelity）や、Ｂｌｕｅｔｏｏｔｈ（登録商標）等の無線による通信が行われる箇所があってもよい。
【００２５】
また、図１において、各伝送端末１０、各中継装置３０、管理システム５０、各ルータ７０、及びプログラム提供システム９０の下に示されている４組の数字は、一般的なＩＰｖ４におけるＩＰアドレスを簡易的に示している。例えば、伝送端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２６】
なお、各伝送端末１０は、複数の事業所間での通話や、同じ事業所内の異なる部屋間での通話だけでなく、同じ部屋内での通話や、屋外と屋内又は屋外と屋外での通話で使われてもよい。各伝送端末１０が屋外で使われる場合には、携帯電話通信網等の無線による通信が行われる。
【００２７】
本発明の一実施形態における伝送端末１０は、ユーザごとに、伝送端末１０の設定の組み合わせを保持する。伝送端末の設定には、例えば、ネットワーク設定や、言語設定がある。ネットワーク設定は、例えば、伝送端末１０が伝送管理システム５０に接続するために必要となる通信設定であり、ＩＰアドレスの動的構成の可否、デフォルトゲートウェイ、ＤＮＳ（Domain Name System）サーバの設定等を含む。また、言語設定は、伝送端末１０が出力するメッセージの表示言語の設定を含む。伝送端末の設定は、他にも、フォントや明るさ等の画面表示設定や、会議の接続時に使用されるユーザの名前や画像や現在地のようなプロファイル設定等であってもよい。伝送端末の設定は、個人ごとに設定され得る、任意の設定項目を含む。
【００２８】
伝送端末１０は、生体情報（例えば、ユーザの顔、指紋、静脈、声等）を認識してユーザを識別し、予め関連付けられた上記の伝送端末の設定を読み出して、その設定を適用することができる。
【００２９】
また、本発明の一実施形態における伝送管理システム５０は、ユーザごとに定義された宛先リストを管理する。宛先リストは、ユーザが使用する伝送端末から接続可能な伝送端末の名称や端末ＩＤを含むリストである。ユーザは、予め、Ｗｅｂ等を通じて、宛先リストに含まれる伝送端末を登録しておく。伝送端末１０は、上述のように、当該伝送端末１０を利用するユーザを特定した後、伝送管理システム５０からユーザの宛先リストを取得し、宛先の候補である伝送端末の一覧を画面上に表示する。
【００３０】
このような機能により、本実施形態における伝送端末１０は、生体情報を用いたユーザの特定により、効率的に伝送端末の設定を可能とし、さらに、宛先の候補となる他の伝送端末の特定を容易にする。さらに、伝送端末１０は、生体情報を用いたユーザの認証により、登録されていない不正なユーザによる伝送端末の使用を防止することもできる。
【００３１】
＜＜実施形態のハードウェア構成＞＞
次に、本実施形態のハードウェア構成を説明する。
【００３２】
＜＜伝送端末の外観＞＞
図２は、本実施形態に係る伝送端末の外観図である。以下、伝送端末１０の長手方向をＸ軸方向、水平面内でＸ軸方向に直交する方向をＹ軸方向、Ｘ軸方向およびＹ軸方向に直交する方向（鉛直方向）をＺ軸方向として説明する。
【００３３】
図２に示されているように、伝送端末１０は、筐体１１００、アーム１２００、およびカメラハウジング１３００を備えている。このうち、筐体１１００の前側壁面１１１０には、複数の吸気孔によって形成された不図示の吸気面が設けられており、筐体１１００の後側壁面１１２０には、複数の排気孔が形成された排気面１１２１が設けられている。これにより、筐体１１００に内蔵された冷却ファンの駆動によって、不図示の吸気面を介して伝送端末１０の後方の外気を取り込み、排気面１１２１を介して伝送端末１０の後方へ排気することができる。筐体１１００の右側壁面１１３０には、収音用孔１１３１が形成され、後述する内蔵型のマイク１１４によって音声、物音、雑音等の音が収音可能となっている。
【００３４】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、および後述のアラームランプ１１９が設けられていると共に、後述の内蔵型のスピーカ１１５からの出力音を通すための複数の音声出力孔によって形成された音出面１１５１が形成されている。また、筐体１１００の左側壁面１１４０側には、アーム１２００およびカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための不図示の接続口が設けられている。
【００３５】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００３６】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図２は、チルト角θ１が９０度の状態を示している。
【００３７】
カメラハウジング１３００には、内蔵型のカメラ１０２１が設けられており、利用者、書類、および部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００３８】
また、図示しないが、本実施形態に係る伝送端末１０は、スマートフォン、タブレット、ラップトップ又は腕時計型若しくは眼鏡型のウェアラブルコンピュータであってもよい。
【００３９】
なお、中継装置３０、伝送管理システム５０、及びプログラム提供システム９０は、それぞれ一般のサーバ・コンピュータの外観と同じであるため、外観の説明を省略する。
【００４０】
＜＜伝送端末のハードウェア構成例＞＞
図３は、本発明の本実施形態に係る伝送端末１０のハードウェア構成図である。図３に示されているように、本実施形態の伝送端末１０は、伝送端末１０全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、伝送端末用プログラム、画像データ、及び音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、伝送端末１０の宛先を選択する場合などに操作される操作ボタン１０８、伝送端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００４１】
また、伝送端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、例えばユーザの指紋、静脈又は声のような生体情報を取得する生体認証デバイス１１９、及び上記各構成要素を図３に示されているように電気的に接続するためのアドレスバスやデータバス等のバスライン１１０を備えている。
【００４２】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）(High-Definition Multimedia Interface)やＤＶＩ(Digital Video Interactive)信号用のケーブルであってもよい。
【００４３】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００４４】
外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００４５】
なお、記録メディア１０６は、伝送端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００４６】
更に、上記伝送端末用プログラムは、インストール可能な形式又は実行可能な形式のファイルで、上記記録メディア１０６等の、コンピュータで読み取り可能な記録媒体に記録して流通させるようにしてもよい。また、上記伝送端末用プログラムは、フラッシュメモリ１０４ではなくＲＯＭ１０２に記憶させるようにしてもよい。
【００４７】
なお、上述したように、伝送端末１０が、スマートフォンやタブレット等のデバイスである場合には、ディスプレイ１２０は、伝送端末１０に内蔵されて提供されてもよい。さらに、マイク１１４、カメラ１１２、スピーカ１１５は必ずしも内蔵されている必要はなく、外付けされていてもよい。
【００４８】
＜＜伝送管理システムのハードウェア構成例＞＞
図４は、本発明の本実施形態に係る伝送管理システム５０のハードウェア構成図である。伝送管理システム５０は、伝送管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、伝送管理用プログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、及び、上記各構成要素を図４に示されているように電気的に接続するためのアドレスバスやデータバス等のバスライン２１０を備えている。
【００４９】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記伝送管理用プログラムは、ＨＤ２０４ではなくＲＯＭ２０２に記憶されるようにしてもよい。
【００５０】
また、中継装置３０は、上述した伝送管理システム５０と同様のハードウェア構成を有しているため、その説明を省略する。但し、ＨＤ２０４には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記中継装置用プログラムは、ＨＤ２０４ではなくＲＯＭ２０２に記憶されるようにしてもよい。
【００５１】
また、プログラム提供システム９０及びメンテナンスシステム１００は、上述した伝送管理システム５０と同様のハードウェア構成を有しているため、その説明を省略する。但し、ＨＤ２０４には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記プログラム提供システム用プログラムは、ＨＤ２０４ではなくＲＯＭ２０２に記憶されるようにしてもよい。
【００５２】
なお、上記着脱可能な記録媒体の他の例として、ＣＤ−Ｒ(Compact Disc Recordable)、ＤＶＤ(Digital Versatile Disk)、ブルーレイディスク等のコンピュータで読み取り可能な記録媒体に記録して提供するように構成してもよい。
【００５３】
＜＜実施形態の機能構成＞＞
次に、本実施形態の機能構成について説明する。図５は、本実施形態の伝送システム１を構成する各端末、装置及びシステムの機能ブロック図である。図５では、伝送端末１０、中継装置３０、及び伝送管理システム５０が、通信ネットワーク２を介してデータ通信することができるように接続されている。また、図１に示されているプログラム提供システム９０は、テレビ会議の通信において直接関係ないため、図５では省略されている。
【００５４】
＜伝送端末の機能構成＞
伝送端末１０は、送受信部１１、操作入力受付部１２、ログイン要求部１３、撮像部１４、音声入力部１５ａ、音声出力部１５ｂ、最終絞込部１６、表示制御部１７、遅延検出部１８、記憶・読出処理部１９、入力部２０、生体情報取得部２１、認証部２２、管理者設定管理部２３及び個人設定管理部２４を有している。これら各部は、図３に示されている各構成要素のいずれかが、フラッシュメモリ１０４からＲＡＭ１０３上に展開された伝送端末用プログラムに従ったＣＰＵ１０１からの命令によって動作することで実現される機能、又は機能する手段である。また、伝送端末１０は、図３に示されているＲＡＭ１０３、及び図５に示されているフラッシュメモリ１０４によって構築される記憶部１０００を有している。
【００５５】
（個人認証設定管理テーブル）
記憶部１０００には、図７に示されているような個人認証設定管理テーブルによって構成されている個人認証設定管理ＤＢ(Data Base)１００１が構築される。個人認証設定管理テーブルは、ユーザごとに付される個人ＩＤと、ユーザの生体情報から抽出された、生体情報の特徴を表す認証用データの認証用データ名と、複数のネットワーク設定と、ネットワーク設定の番号と、表示に使用する言語の言語設定とを、関連付けて管理する。
【００５６】
（管理者用設定情報）
また、記憶部１０００は、管理者用設定情報１００２を保持する。管理者用設定情報は、伝送端末１０の管理者のみが設定可能な管理者用設定の設定内容を表す。管理者用設定は、図２３に例示されるような設定画面を通じて設定される。管理者用設定情報は、例えば以下のような設定を含む。
−生体情報による認証が成功したユーザに対してのみ伝送端末を利用できるか否か。この設定を有効にすることにより、生体情報が登録されていないユーザによる、伝送端末１０の不正利用を防止することができる。
−会議が終了した後、個人設定を登録されていないユーザに対して、個人設定を行うよう促す画面を表示するか否か。この設定を有効にすることにより、個人設定が登録されていいないユーザに対して、設定登録を促すことができる。
【００５７】
（伝送端末の各機能構成）
次に、図３及び図５を用いて、伝送端末１０の各機能構成について詳細に説明する。なお、以下では、伝送端末１０の各機能構成を説明するにあたって、図３に示されている各構成要素のうち、伝送端末１０の各機能構成を実現させるための主な構成要素との関係も説明する。
【００５８】
図５に示されている伝送端末１０の送受信部１１は、図３に示されているＣＰＵ１０１からの命令、及び図３に示されているネットワークＩ／Ｆ１１１によって実現され、通信ネットワーク２を介して他の伝送端末、装置又はシステムと各種データ（または情報）の送受信を行う。この送受信部１１は、所望の宛先伝送端末と通話を開始する前から、伝送管理システム５０より、宛先候補としての各端末の状態を示す各状態情報の受信を開始する。なお、この状態情報は、各伝送端末１０の稼動状態（オンラインかオフラインかの状態）だけでなく、オンラインであっても更に通話可能であるか、通話中であるか、離籍中であるか等の詳細な状態を示す。また、この状態情報は、各伝送端末１０の稼動状態だけでなく、伝送端末１０でケーブル１２０ｃが伝送端末１０から外れていたり、音声を出力するが画像は出力させなかったり、音声を出力さないようにする（ＭＵＴＥ）等、様々な状態を示す。以下では、一例として、状態情報が稼動状態を示す場合について説明する。
【００５９】
操作入力受付部１２は、図３に示されているＣＰＵ１０１からの命令、並びに図３に示されている操作ボタン１０８及び電源スイッチ１０９によって実現され、利用者による各種入力を受け付ける。例えば、利用者が、図３に示されている電源スイッチ１０９をＯＮにすると、図３に示されている操作入力受付部１２が電源ＯＮを受け付けて、電源をＯＮにする。
【００６０】
ログイン要求部１３は、図３に示されているＣＰＵ１０１からの命令によって実現され、上記電源ＯＮの受け付けを契機として、送受信部１１から通信ネットワーク２を介して伝送管理システム５０に、ログインを要求する旨を示すログイン要求情報、及び要求元端末の現時点のＩＰアドレスを自動的に送信する。また、利用者が電源スイッチ１０９をＯＮの状態からＯＦＦにすると、送受信部１１が伝送管理システム５０へ電源をＯＦＦする旨の状態情報を送信した後に、操作入力受付部１２が電源を完全にＯＦＦにする。これにより、伝送管理システム５０側では、伝送端末１０が電源ＯＮから電源ＯＦＦになったことを把握することができる。
【００６１】
撮像部１４は、図３に示されているＣＰＵ１０１からの命令、並びに図３に示されているカメラ１１２及び撮像素子Ｉ／Ｆ１１３によって実現され、被写体を撮像して、この撮像して得た画像データを出力する。
【００６２】
音声入力部１５ａは、図３に示されているＣＰＵ１０１からの命令、及び図３に示されている音声入出力Ｉ／Ｆ１１６によって実現され、マイク１１４によって利用者の音声が音声信号に変換された後、この音声信号に係る音声データを入力する。
【００６３】
音声出力部１５ｂは、図３に示されているＣＰＵ１０１からの命令、及び図３に示されている音声入出力Ｉ／Ｆ１１６によって実現され、音声データに係る音声信号をスピーカに出力し、スピーカ１１５から音声を出力させる。
【００６４】
最終絞込部１６は、図３に示されているＣＰＵ１０１からの命令によって実現され、複数の中継装置３０から最終的に１つの中継装置３０に絞り込む最終絞り込み処理を行う。最終絞込部１６は、送受信部１１によって受信された後述の事前送信情報毎に、送受信部１１によって事前送信情報が受信される際の受信日時を計測する。また、最終絞込部１６は、受信日時が計測された事前送信情報毎に、この計測された受信時間と、この事前送信情報に含まれている送信日時との差に基づいて、事前送信情報の送信から受信までの所要時間(T)を算出する。また、最終絞込部１６は、算出された所要時間のうち最短の所要時間を要した事前送信情報が中継された中継装置３０を選択することで、最終的に１つの中継装置を選択する。
【００６５】
表示制御部１７は、図３に示されているＣＰＵ１０１からの命令、及び図３に示されているディスプレイＩ／Ｆ１１７によって実現され、後述のように、受信された解像度の異なる画像データを組み合わせ、この組み合わされた画像データをディスプレイ１２０に送信するための制御を行う。また、表示制御部１７は、伝送管理システム５０から受信した宛先リストの情報をディスプレイ１２０に送信して、ディスプレイ１２０に宛先リストを表示させることができる。また、表示制御部１７は、ユーザの入力操作に応じて、伝送端末１０の初期設定画面を、ディスプレイ１２０に表示することができる。また、表示制御部１７は、後述する個人設定管理部２４や管理者設定管理部２３からの指示に応じて、個人用設定や、管理者用設定に係る設定画面等を、ディスプレイ１２０に表示することができる。
【００６６】
遅延検出部１８は、図３に示されているＣＰＵ１０１からの命令によって実現され、他の端末１０から中継装置３０を介して送られて来る画像データ又は音声データの遅延時間（ｍｓ）を検出する。
【００６７】
記憶・読出処理部１９は、図３に示されているＣＰＵ１０１からの命令及び図３に示すＳＳＤ１０５によって実行され、又はＣＰＵ１０１からの命令によって実現され、記憶部１０００に各種データを記憶したり、記憶部１０００に記憶された各種データを読み出す処理を行う。この記憶部１０００には、伝送端末１０を識別するための端末ＩＤ(Identification）、及びパスワード等が記憶される。なお、端末IDは予め伝送端末１０に記憶されていてもよいし、伝送端末１０の利用者が利用する際に伝送端末１０に対して入力してもよい。更に、記憶部１０００には、宛先端末との通話を行う際に受信される画像データ及び音声データが、受信される度に上書き記憶される。このうち、上書きされる前の画像データによってディスプレイ１２０に画像が表示され、上書きされる前の音声データによってスピーカ１５０から音声が出力される。
【００６８】
なお、本実施形態の端末ＩＤ及び後述の中継装置ＩＤは、それぞれ伝送端末１０及び中継装置３０を一意に識別するために使われる言語、文字、記号、又は各種のしるし等の識別情報を示す。また、端末ＩＤ及び中継装置ＩＤは、上記言語、文字、記号、及び各種のしるしのうち、少なくとも２つが組み合わされた識別情報であってもよい。
【００６９】
入力部２０は、図３に示されている操作ボタン１０８によって実現され、伝送端末１０の管理者又はユーザからの操作入力を受け付ける。
【００７０】
生体情報取得部２１は、図３に示されているＣＰＵ１０１からの命令及び図３に示されているカメラ１１２、マイク１１４又は生体認証デバイス１１９によって実行され、ユーザを識別するための生体情報を取得することができる。生体情報は、ユーザの顔、指紋又は静脈の形状を撮像することによって得られる画像情報や、ユーザの声を収集することによって得られる音声情報を含む。例えば、生体情報取得部２１は、伝送端末１０の起動時、所定のボタン等が押下されたとき、会議の開始前、あるいは、会議の実行中等に、ユーザの生体情報を取得することができる。生体情報取得部２１は、生体情報を取得するとき、生体情報の入力を促す画面をディスプレイ１２０に出力させてもよい。
【００７１】
認証部２２は、図３に示されているＣＰＵ１０１からの命令によって実現され、生体情報取得部２１が取得したユーザの生体情報を用いて、ユーザを認証する。具体的には、認証部２２は、生体情報取得部２１が取得した生体情報の特徴を抽出し、個人認証設定管理テーブルに示された認証用データの何れかと一致するとみなせる場合に、認証が成功したと判断する。一方、認証部２２は、抽出した特徴が、何れの認証用データと一致するとみなせない場合には、認証が失敗したと判断する。
【００７２】
なお、認証部２２による、生体情報から抽出した特徴と、認証用データとの比較・照合の方法は、既存の顔認証、指紋認証、静脈認証又は声紋認証等の技術を用いることができる。例えば、認証用データは、予め取得したユーザの生体情報から抽出した特徴を表しており、認証部２２は、認証時に抽出された特徴と,認証用データの示す特徴とを比較し、その類似度が一定の閾値を超えている場合に、両者が一致するとみなすことができる。
【００７３】
管理者設定管理部２３は、図３に示されているＣＰＵ１０１からの命令によって実現され、伝送端末１０の管理者を認証した後に、図２３に示される画面を通じて、管理者からの設定を受け付け、その設定の内容を、管理者用設定情報１００２として記憶する。
【００７４】
より具体的には、管理者設定管理部２３は、図１５に例示される、伝送端末１０に表示された初期設定画面において、「管理者用設定」が選択されると、図２２に例示される、管理者パスワードの入力画面を出力する。管理者設定管理部２３は、パスワードの入力を受け付けると、当該伝送端末１０の端末ＩＤと、入力されたパスワードを、通信ネットワーク２を介して、伝送管理システム５０に送信する。そして、管理者設定管理部２３は、認証が成功したことを表す結果を受け取ると、図２３の管理者設定画面を出力する。その後、管理者設定管理部２３は、図２３の管理者設定画面において、「保存」ボタンが選択されると、その内容を、記憶部１００の０の管理者用設定情報１００２として記憶する。端末ＩＤと管理者のパスワードは、予め、伝送管理システム５０に登録されているものとする。
【００７５】
個人設定管理部２４は、図３に示されているＣＰＵ１０１からの命令によって実現され、登録受付部２４１と、個人ＩＤ取得部２４２と、個人ＩＤ特定部２４３と、個人設定読込部２４４と、個人設定適用部２４５と、宛先リスト取得部２４６とをさらに有する。個人設定管理部２４は、伝送端末１０を利用するユーザの個人設定を管理する。
【００７６】
登録受付部２４１は、伝送端末１０のユーザの個人設定の登録を受け付ける。登録受付部２４１は、図１５に例示される、伝送端末１０に表示された初期設定画面において、「個人用設定」が選択されると、図１６に例示される、生体情報取得画面を出力する。図１６の例では、ユーザの生体情報は、ユーザの顔の画像情報である。登録受付部２４１は、生体情報を取得すると、生体情報から抽出した、その生体情報の特徴を表すデータを、認証用データとして、記憶部１０００に格納する。
【００７７】
また、登録受付部２４１は、後述する、個人ＩＤ取得部２４２を通じて、個人ＩＤを取得する。
【００７８】
さらに、登録受付部２４１は、図１７に例示される情報表示画面を表示した後、図１８、図１９に例示される、ネットワーク設定画面を出力させる。ユーザは、図１９に例示されるように、異なる複数のネットワーク設定を、例えば「設定１」〜「設定５」として設定することができる。ネットワーク設定は、例えば、場所の名前や、有線／無線の種別や、ＩＰアドレス設定の手動／自動の設定や、ＩＰアドレス、サブネットマスク（手動設定の場合）や、デフォルトゲートウェイや、ＤＮＳサーバ手動／自動の設定や、プロキシの設定等を含む。また、ネットワーク設定は、その設定をデフォルト設定として扱うか否かの設定を含んでもよい。
【００７９】
なお、登録受付部２４１は、図１９には例示されていないが、伝送端末１０が出力するメッセージの表示言語設定や、フォントや明るさ等の画面表示設定や、ユーザのプロファイル設定等を受け付けても良い。登録受付部２４１は、図７に例示される個人認証設定管理テーブルに、新たな列を追加することにより、これらの設定を記憶することができる。
【００８０】
登録受付部２４１は、ユーザによる設定が完了すると、取得した個人ＩＤと、上述した認証用データを特定するための認証用データ名（例えば、ファイル名）と、設定されたネットワーク設定とを、個人認証設定テーブルに格納する。そして、登録受付部２４１は、図２０に例示されるように、設定完了画面を出力させる。
【００８１】
個人ＩＤ取得部２４２は、登録受付部２４１からの要求に応じて、個人ＩＤの発行を、通信ネットワーク２を介して、伝送管理システム５０に依頼する。そして、個人ＩＤ取得部２４２は、伝送管理システム５０から取得した個人ＩＤを、登録受付部２４１に渡す。
【００８２】
個人ＩＤ特定部２４３は、当該伝送端末１０を使用しているユーザの個人ＩＤを特定する。個人ＩＤ特定部２４３は、上述した認証部２２に、生体情報取得部２１が取得したユーザの生体情報を認証させることにより、ユーザの個人ＩＤを特定することができる。
【００８３】
個人設定読込部２４４は、個人ＩＤ特定部２４３が特定した個人ＩＤと関連付けられた個人設定（すなわち、ネットワーク設定や言語設定等）を読み込む。
【００８４】
個人設定適用部２４５は、個人設定読込部２４４が読み込んだ設定を、当該伝送端末１０に適用する。
【００８５】
宛先リスト取得部２４６は、伝送端末１０が、伝送管理システム５０に接続した後、使用しているユーザの個人ＩＤに対応する宛先リスト（すなわち、接続の候補となる伝送端末の端末ＩＤのリスト）を、伝送管理システム５０から取得する。また、宛先リスト取得部２４６は、取得した宛先リストを、表示制御部１７を介して、出力することもできる。宛先リストの出力画面の例を、図２６に示す。
【００８６】
＜中継装置の機能構成＞
中継装置３０は、送受信部３１、状態検知部３２、データ品質確認部３３、変更品質管理部３４、データ品質変更部３５、及び記憶・読出処理部３９を有している。これら各部は、図４に示されている各構成要素のいずれかが、ＨＤ２０４からＲＡＭ２０３上に展開された中継装置用プログラムに従ったＣＰＵ２０１からの命令によって動作することで実現される機能又は機能する手段である。また、中継装置３０は、図４に示されているＲＡＭ２０３、及び／又は図４に示されているＨＤ２０４によって構築される記憶部３０００を有している。
【００８７】
（変更品質管理テーブル）
記憶部３０００には、図２７に示されているような変更品質管理テーブルによって構成されている変更品質管理ＤＢ(Data Base)３００１が構築される。変更品質管理テーブルでは、画像データの中継先（宛先）としての端末１０のＩＰアドレス、及びこの中継先に中継装置３０が中継する画像データの画質が関連付けられて管理される。
【００８８】
（中継装置の各機能構成）
次に、中継装置３０の各機能構成について詳細に説明する。なお、以下では、中継装置３０の各機能構成を説明するにあたって、図４に示されている各構成要素のうち、中継装置３０の各機能構成を実現させるための主な構成要素との関係も説明する。
【００８９】
図５に示されている中継装置３０の送受信部３１は、図４に示されているＣＰＵ２０１からの命令、及び図４に示されているネットワークＩ／Ｆ２０９によって実現され、通信ネットワーク２を介して他の端末、装置、又はシステムと各種データ（または情報）の送受信を行う。
【００９０】
状態検知部３２は、図４に示されているＣＰＵ２０１からの命令によって実現され、この状態検知部３２を有する中継装置３０の稼動状態を検知する。稼動状態としては、「オンライン」、「オフライン」、「通話中」又は「一時中断」の状態がある。
【００９１】
データ品質確認部３３は、図４に示されているＣＰＵ２０１からの命令によって実現され、宛先端末のＩＰアドレスを検索キーとして、変更品質管理ＤＢ３００１を検索し、対応した中継される画像データの画質を抽出することで、中継される画像データの画質を確認する。
【００９２】
変更品質管理部３４は、図４に示されているＣＰＵ２０１からの命令によって実現され、管理システム５０から送られて来る、後述の品質情報に基づいて、変更品質管理ＤＢ３００１の内容を変更する。例えば、端末ＩＤが「０１ａａ」である要求元端末（伝送端末１０ａａ）と、端末ＩＤが「０１ｄｂ」である宛先端末（伝送端末１０ｄｂ）との間で高画質の画像データを送受信することによってテレビ会議を行っている最中に、他のテレビ会議を行う要求元端末（伝送端末１０ｂｂ）と宛先端末（伝送端末１０ｃａ）が通信ネットワーク２を介してテレビ会議を開始すること等によって、宛先端末（伝送端末１０ｄｂ）で画像データの受信の遅延が生じた場合には、中継装置３０は今まで中継していた画像データの画質を、高画質から中画質に下げる。このような場合に、中画質を示す品質情報に基づいて、中継装置３０が中継する画像データの画質を高画質から中画質に下げるように、変更品質管理ＤＢ３００１の内容が変更される。
【００９３】
データ品質変更部３５は、図４に示されているＣＰＵ２０１からの命令によって実現され、送信元端末から送られて来た画像データの画質を、上記変更された変更品質管理ＤＢ３００１の内容に基づいて変更する。
【００９４】
記憶・読出処理部３９は、図４に示されているＣＰＵ２０１からの命令、及び図４に示されているＨＤＤ２０５によって実現され、記憶部３０００に各種データを記憶したり、記憶部３０００に記憶された各種データを読み出す処理を行う。
【００９５】
＜伝送管理システムの機能構成＞
伝送管理システム５０は、送受信部５１、伝送端末認証部５２、状態管理部５３、伝送端末抽出部５４、端末状態取得部５５、一次絞込部５６、セッション管理部５７、品質決定部５８、記憶・読出処理部５９、遅延時間管理部６０、個人ＩＤ発行部６１、宛先リスト登録受付部６２及び管理者認証部６３を有している。これら各部は、図４に示されている各構成要素のいずれかが、ＨＤ２０４からＲＡＭ２０３上に展開された管理システム用プログラムに従ったＣＰＵ２０１からの命令によって動作することで実現される機能又は機能する手段である。また、管理システム５０は、図４に示されているＨＤ２０４により構築される記憶部５０００を有している。
【００９６】
（中継装置管理テーブル）
記憶部５０００には、図２８に示されているような中継装置管理テーブルによって構成されている中継装置管理ＤＢ５００１が構築されている。この中継装置管理テーブルでは、各中継装置３０の中継装置ＩＤ毎に、各中継装置３０の稼動状態、稼動状態が示される状態情報が伝送管理システム５０で受信された受信日時、中継装置３０のＩＰアドレス、及び中継装置３０における最大データ伝送速度（Ｍｂｐｓ）が関連付けられて管理される。例えば、図２８に示されている中継装置管理テーブルにおいて、中継装置ＩＤが「１１１ａ」の中継装置３０ａは、稼動状態が「オンライン」で、管理システム５０で状態情報が受信された日時が「２００９年１１月１０日の１３時００分」で、この中継装置３０ａのＩＰアドレスが「１．２．１．２」で、この中継装置３０ａにおける最大データ伝送速度が１００Ｍｂｐｓであることが示されている。
【００９７】
（端末認証管理テーブル）
更に、記憶部５０００には、図２９に示されているような端末認証管理テーブルによって構成されている端末認証管理ＤＢ５００２が構築されている。この端末認証管理テーブルでは、伝送管理システム５０によって管理される全ての伝送端末１０の各端末ＩＤに対して、各パスワードが関連付けられて管理される。例えば、図２９に示されている端末認証管理テーブルにおいて、伝送端末１０ａａの端末ＩＤは「０１ａａ」で、パスワードは「ａａａａ」であることが示されている。
【００９８】
（伝送端末管理テーブル）
また、記憶部５０００には、図３０に示されているような伝送端末管理テーブルによって構成されている伝送端末管理ＤＢ５００３が構築されている。この伝送端末管理テーブルでは、各伝送端末１０の端末ＩＤ毎に、各伝送端末１０を宛先とした場合の宛先名、各伝送端末１０の稼動状態、後述のログイン要求情報が伝送管理システム５０で受信された受信日時、及び伝送端末１０のＩＰアドレスが関連付けられて管理される。例えば、図３０に示されている伝送端末管理テーブルにおいて、端末ＩＤが「０１ａａ」の伝送端末１０ａａは、端末名が「日本 東京事業所 ＡＡ端末」で、稼動状態が「オンライン（通話可能）」で、管理システム５０でログイン要求情報が受信された日時が「２００９年１１月１０日の１３時４０分」で、この伝送端末１０ａａのＩＰアドレスが「１．２．１．３」であることが示されている。
【００９９】
（宛先リスト管理テーブル）
更に、記憶部５０００には、図６に示されているような宛先リスト管理テーブルによって構成されている宛先リスト管理ＤＢ５００４が構築されている。この宛先リスト管理テーブルでは、テレビ会議における通話の開始を要求する要求元端末のユーザに付された個人ＩＤに対して、宛先端末の候補として登録されている宛先端末の端末ＩＤが関連付けられて管理される。例えば、図６に示されている宛先リスト管理テーブルにおいて、個人ＩＤが「００００１」であるユーザからテレビ会議における通話の開始を要求することができる宛先端末の候補の一例は、以下の通りである。
−端末ＩＤが「０１ａｂ」の伝送端末１０ａｂ
−端末ＩＤが「０１ｂａ」の伝送端末１０ｂａ
−端末ＩＤが「０１ｂｂ」の伝送端末１０ｂｂ
−端末ＩＤが「０１ｃａ」の伝送端末１０ｃａ
−端末ＩＤが「０１ｃｂ」の伝送端末１０ｃｂ
−端末ＩＤが「０１ｄａ」の伝送端末１０ｄａ
−端末ＩＤが「０１ｄｂ」の伝送端末１０ｄｂ
宛先端末の候補は、例えばＷｅｂ等を通じて、ユーザからの登録又は削除の要請に応じて、更新される。
【０１００】
（セッション管理テーブル）
また、この記憶部５０００には、図３１に示されているようなセッション管理テーブルによって構成されているセッション管理ＤＢ５００５が構築されている。このセッション管理テーブルでは、中継装置３０を選択するためのセッションの実行に用いられる選択用セッションＩＤ毎に、画像データ及び音声データの中継に使用される中継装置３０の中継装置ＩＤ、要求元端末の端末ＩＤ、宛先端末の端末ＩＤ、宛先端末において画像データが受信される際の受信の遅延時間（ｍｓ）、及びこの遅延時間が示されている遅延情報を宛先端末から送られて来て管理システム５０で受信された受信日時が関連付けられて管理される。例えば、図３１に示されているセッション管理テーブルにおいて、選択用セッションＩＤ「ｓｅ１」を用いて実行されたセッションで選択された中継装置３０ａ（中継装置ＩＤ「１１１ａ」）は、端末ＩＤが「０１ａａ」の要求元端末（伝送端末１０ａａ）と、端末ＩＤが「０１ｄｂ」の宛先端末（伝送端末１０ｄｂ）との間で、画像データ及び音声データを中継しており、宛先端末（伝送端末１０ｄｂ）において「２００９年１１月１０日の１４時００分」時点における画像データの遅延時間が２００（ｍｓ）であることが示されている。なお、２つの伝送端末１０の間でテレビ会議を行う場合には、上記宛先端末ではなく要求元端末から送信されてきた遅延情報に基づいて、遅延情報の受信日時を管理してもよい。但し、３つ以上の伝送端末１０の間でテレビ会議を行う場合には、画像データ及び音声データの受信側の伝送端末１０から送信されてきた遅延情報に基づいて、遅延情報の受信日時を管理する。
【０１０１】
（アドレス優先度管理テーブル）
更に、記憶部５０００には、図３２に示されているようなアドレス優先度管理テーブルによって構成されている優先度管理ＤＢ５００６が構築されている。このアドレス優先度管理テーブルでは、任意の伝送端末１０と任意の中継装置３０において、一般的なＩＰｖ４におけるＩＰアドレスのうちの４組のドットアドレス(Dot Address)部分の「同」が多い程、アドレス優先度のポイントが高くなるように、ドットアドレスの同異とアドレス優先度とが関連付けられて管理される。この「同」は、ドットアドレス部分が同じであることを意味し、「異」は、ドットアドレス部分が異なることを意味する。例えば、図３２に示されているアドレス優先度管理テーブルにおいて、ドットアドレスの上位から下位にかけて３つの値が同じＩＰアドレスの場合には、アドレス優先度のポイントが「５」である。ドットアドレスの上位から下位にかけて２つの値が同じＩＰアドレスの場合には、アドレス優先度のポイントが「３」である。この場合、最下位のドットアドレスの値が同じであるか否かは優先度に関係ない。ドットアドレスの最上位の値が同じで、上位から２番目の値が異なるＩＰアドレスの場合には、アドレス優先度のポイントが「１」である。この場合、上位から３番目及び最下位のドットアドレスの値が同じであるか否かは優先度には関係ない。ドットアドレスの最上位の値が異なるＩＰアドレスの場合には、アドレス優先度のポイントが「０」である。この場合、上位から２番目、３番目、及び最下位のドットアドレスの値が同じであるか否かは優先度には関係ない。
【０１０２】
（伝送速度優先度管理テーブル）
また、記憶部５０００に構築されている優先度管理ＤＢ５００６には、図３３に示されているような伝送速度優先度管理テーブルも含まれている。この伝送速度優先度管理テーブルでは、中継装置３０における最大データ伝送速度（Ｍｂｐｓ）の値が大きくなる程、伝送速度優先度のポイントが高くなるように、最大テータ伝送速度と伝送速度優先度とが関連付けられて管理される。例えば、図３３に示されている伝送速度優先度管理テーブルにおいて、中継装置３０における最大データ伝送速度が１０００Ｍｂｐｓ以上の場合には、伝送速度優先度のポイントが「５」である。中継装置３０における最大データ伝送速度が１００Ｍｂｐｓ以上１０００Ｍｂｐｓ未満の場合には、伝送速度優先度のポイントが「３」である。中継装置３０における最大データ伝送速度が１０Ｍｂｐｓ以上１００Ｍｂｐｓ未満の場合には、伝送速度優先度のポイントが「１」である。中継装置３０における最大データ伝送速度が１０Ｍｂｐｓ未満の場合には、伝送速度優先度のポイントが「０」である。
【０１０３】
（品質管理テーブル）
更に、記憶部５０００には、図３４に示されているような品質管理テーブルによって構成されている品質管理ＤＢ５００７が構築されている。この品質管理テーブルでは、要求元端末又は宛先端末における画像データの遅延時間（ｍｓ）が長い程、中継装置３０で中継させる画像データの画質を下げるように、画像データの遅延時間と画像データの画質（画像の品質）とが関連付けられて管理される。
【０１０４】
（管理者パスワード管理テーブル）
また、記憶部５０００には、図８に示されているような管理者パスワード管理テーブルによって構成されている管理者パスワード管理ＤＢ５００８が構築されている。この管理者パスワード管理テーブルでは、伝送端末ＩＤと、該伝送端末ＩＤに予め設定された管理者パスワードとが、関連付けられて管理される。
【０１０５】
（管理システムの各機能構成）
次に、伝送管理システム５０の各機能構成について詳細に説明する。なお、以下では、伝送管理システム５０の各機能構成を説明するにあたって、図４に示されている各構成要素のうち、管理システム５０の各機能構成を実現させるための主な構成要素との関係も説明する。
【０１０６】
送受信部５１は、図４に示されているＣＰＵ２０１からの命令、及び図４に示されているネットワークＩ／Ｆ２０９によって実行され、通信ネットワーク２を介して他の端末、装置又はシステムと各種データ（または情報）の送受信を行う。
【０１０７】
伝送端末認証部５２は、図４に示されているＣＰＵ１０２からの命令によって実現され、送受信部５１を介して受信されたログイン要求情報に含まれている端末ＩＤ及びパスワードを検索キーとして、記憶部５０００の端末認証管理ＤＢ５００２を検索し、端末認証管理ＤＢ５００２に同一の端末ＩＤ及びパスワードが管理されているかを判断することによって端末認証を行う。
【０１０８】
状態管理部５３は、図４に示されているＣＰＵ２０１からの命令によって実現され、ログイン要求してきた要求元端末の稼動状態を管理すべく、伝送端末管理ＤＢ５００３（図３０参照）に、この要求元端末の端末ＩＤ、要求元端末の稼動状態、管理システム５０でログイン要求情報が受信された受信日時、及び要求元端末のＩＰアドレスを関連付けて記憶して管理する。また、状態管理部５３は、利用者が伝送端末１０の電源スイッチ１０９の状態をＯＮからＯＦＦにすることで、伝送端末１０から送られてきた、電源をＯＦＦする旨の状態情報に基づいて、伝送端末管理ＤＢ５００３（図３０参照）のオンラインを示す稼動状態をオフラインに変更する。
【０１０９】
伝送端末抽出部５４は、図４に示されているＣＰＵ２０１からの命令によって実現され、ログイン要求した要求元端末の端末ＩＤをキーとして、宛先リスト管理ＤＢ５００４（図６参照）を検索し、要求元端末と通話することができる宛先端末の候補の端末ＩＤを読み出すことで、端末ＩＤを抽出する。また、伝送端末抽出部５４は、ログイン要求してきた要求元端末の端末ＩＤをキーとして、宛先リスト管理ＤＢ５００４（図６参照）を検索し、上記要求元端末の端末ＩＤを宛先端末の候補として登録している他の要求元端末の端末ＩＤも抽出する。
【０１１０】
端末状態取得部５５は、図４に示されているＣＰＵ２０１からの命令によって実現され、上記伝送端末抽出部５４によって抽出された宛先端末の候補の端末ＩＤを検索キーとして、伝送端末管理ＤＢ５００３（図３０参照）を検索し、上記伝送端末抽出部５４によって抽出された端末ＩＤ毎に稼動状態を読み出す。これにより、端末状態取得部５５は、ログイン要求してきた要求元端末と通話することができる宛先端末の候補の稼動状態を取得することができる。また、端末状態取得部５５は、上記伝送端末抽出部５４によって抽出された端末ＩＤを検索キーとして、伝送端末管理ＤＢ５００３を検索し、ログイン要求してきた要求元端末の稼動状態も取得する。
【０１１１】
一次絞込部５６は、図４に示されているＣＰＵ２０１からの命令によって実現され、複数の中継装置３０から最終的に１つの中継装置３０に絞り込む最終絞り込み処理を支援するため、この最終絞り込み処理前の一次絞り込み処理を行う。
【０１１２】
一次絞込部５６は、中継装置３０を選択するためのセッションの実行に用いられる選択用セッションＩＤを生成する。また、一次絞込部５６は、要求元端末から送られてきた開始要求情報に含まれている要求元端末の端末ＩＤ、及宛先端末の端末ＩＤに基づいて、伝送端末管理ＤＢ５００３（図３０参照）を検索することにより、対応するそれぞれの伝送端末１０のＩＰアドレスを抽出する。また、一次絞込部５６は、中継装置管理ＤＢ５００１（図２８参照）で管理されている中継装置３０のうち、稼動状態が「オンライン」となっている中継装置３０の中継装置ＩＤを選択することにより、中継装置３０の選択を行う。
【０１１３】
また、一次絞込部５６は、抽出された要求元端末のＩＰアドレス、及び宛先端末のＩＰアドレスに基づいて、中継装置管理ＤＢ５００１（図２８参照）を検索することにより、上記選択された中継装置３０のＩＰアドレスのドットアドレス毎に、上記要求元端末及び宛先端末の各ＩＰアドレスにおける各ドットアドレスと同じであるか異なるかを調査する。更に、一次絞込部５６は、中継装置毎に、アドレス優先度のポイントにおいて伝送端末１０に対する高い方のポイントと、伝送速度優先度のポイントを統合した統合ポイントのうち、ポイントが高い上位２つの中継装置３０を選択することにより、中継装置３０の更なる選択を行う。なお、本実施形態では、ポイントが高い上位２つの中継装置３０を選択することにしているが、これに限られるものではなく、中継装置３０を１つでも多く絞り込むことができれば、ポイントが高い上位３つ以上の中継装置３０を選択するようにしてもよい。
【０１１４】
また、一次絞込部５６は、優先度管理ＤＢ５００６（図３３参照）を参照して、調査された中継装置３０毎に、アドレス優先度のポイントを決定する。また、一次絞込部５６は、中継装置管理ＤＢ５００１（図２８参照）で管理されている各中継装置３０の最大データ伝送速度に基づいて、優先度管理ＤＢ５００６（図３２参照）を検索することにより、第１次の絞り込み処理によって絞り込まれた中継装置３０毎に伝送速度優先度のポイントを決定する。
【０１１５】
続いて、セッション管理部５７は、図４に示されているＣＰＵ２０１からの命令によって実現され、記憶部５０００のセッション管理ＤＢ５００５（図３１参照）に、一次絞込部５６で生成された選択用セッションＩＤ、要求元端末の端末ＩＤ、及び宛先端末の端末ＩＤを関連付けて記憶して管理する。また、セッション管理部５７は、セッション管理ＤＢ５００５（図３１参照）に対して、選択用セッションＩＤ毎に、伝送端末１０の最終選択部１６ｃで最終的に１つに選択された中継装置３０の中継装置ＩＤを記憶して管理する。
【０１１６】
品質決定部５８は、図４に示されているＣＰＵ２０１からの命令によって実現され、上記遅延時間を検索キーとして、品質管理ＤＢ５００７（図３４参照）を検索し、対応する画像データの画質を抽出することで、中継装置３０に中継させる画像データの画質を決定する。
【０１１７】
記憶・読出処理部５９は、図４に示されているＣＰＵ２０１からの命令、及び図４に示されているＨＤＤ２０５によって実行され、記憶部５０００に各種データを記憶したり、記憶部５０００に記憶された各種データを読み出す処理を行う。
【０１１８】
遅延時間管理部６０は、図４に示されているＣＰＵ２０１からの命令によって実現され、上記宛先端末のＩＰアドレスを検索キーとして、伝送端末管理ＤＢ５００３（図３０参照）を検索することで、対応する端末ＩＤを抽出し、更に、セッション管理ＤＢ５００５（図３１参照）のセッション管理テーブルにおいて、上記抽出した端末ＩＤが含まれるレコードにおける遅延時間のフィールド部分に、上記遅延情報で示されている遅延時間を記憶して管理する。
【０１１９】
個人ＩＤ発行部６１は、図４に示されているＣＰＵ２０１からの命令によって実現され、伝送端末１０の個人ＩＤ取得部２４２からの要求に応じて、個人ＩＤを発行する。個人ＩＤ発行部６１は、新たに個人ＩＤを発行したことに応じて、宛先リスト管理テーブルに、新たな個人ＩＤのエントリを作成する。
【０１２０】
宛先リスト登録受付部６２は、図４に示されているＣＰＵ２０１からの命令によって実現され、Ｗｅｂ等を通じて、宛先リストを構成する伝送端末ＩＤの登録を受け付ける。宛先リスト登録受付部６２は、例えば、図２５に例示されるような、ブラウザの設定画面を通じて、宛先の候補となる伝送端末の端末ＩＤの入力を受け付ける。このとき、宛先リスト登録受付部６２は、図２５の画面を表示する前に、個人ＩＤの入力を要求してもよい。宛先リスト登録受付部６２は、入力された個人ＩＤと、指定された伝送端末の端末ＩＤとを、宛先リスト管理テーブルに格納する。
【０１２１】
管理者認証部６３は、図４に示されているＣＰＵ２０１からの命令によって実現され、伝送端末１０の管理者を認証する。具体的には、管理者認証部６３は、伝送端末１０の管理者設定管理部２３から、伝送端末１０の端末ＩＤとパスワードを受信し、その組み合わせが、管理者パスワード管理テーブルに格納されている組み合わせと正しいか確認する。そして、管理者認証部６３は、端末ＩＤとパスワードの組み合わせが正しい場合には、認証が成功したと判断し、認証成功の認証結果を、伝送端末１０の管理者設定管理部２３に渡す。そうでない場合には、認証失敗の認証結果を、伝送端末１０の管理者設定管理部２３に渡す。
【０１２２】
＜＜実施形態の処理または動作＞＞
次に、図９−図１４を用いて、本発明の一実施形態における伝送端末１０及び伝送管理システム５０の処理フローと動作例を説明する。
【０１２３】
＜＜個人用設定登録処理＞＞
図９は、伝送端末１０が、あるユーザによる個人設定の登録を受け付ける処理を表すフローチャートである。
【０１２４】
最初に、伝送端末１０が起動されると、ログイン要求部１３は、伝送管理システム５０に対して、当該伝送端末１０の端末ＩＤとパスワードとを送信することにより、ログイン要求を行う（ステップＳ１０１）。ログイン要求が受け入れられた後に、ユーザは、伝送端末１０を操作し、図１５に例示される、初期設定画面を開いたものとする。
【０１２５】
登録受付部２４１は、図１５に例示される初期設定画面において、個人用設定ボタンの選択入力を受け付ける（ステップＳ１０２）。次に、登録受付部２４１は、図１６に例示される、生体情報取得画面を表示し、生体情報取得部２１を通じて、ユーザの生体情報を取得する（ステップＳ１０３）。生体情報は、既に述べたように、例えば、顔や指紋等の画像情報又は声による音声情報である。
【０１２６】
次に、登録受付部２４１は、認証部２２が、ステップＳ１０３で取得した生体情報を用いて、認証に成功したか判断する（ステップＳ１０４）。認証が失敗した場合、すなわち、ユーザが個人設定を行っていない場合には（ステップＳ１０４のＮＯ）、登録受付部２４１は、個人ＩＤ取得部２４２に、個人ＩＤを取得させる（ステップＳ１０５）。そして、登録受付部２４１は、図１８、図１９に例示される設定入力画面を出力し、設定の入力を受け付ける（ステップＳ１０６）。一方、認証が成功した場合、すなわち、ユーザが個人設定を既に済ませている場合には（ステップＳ１０４のＹＥＳ）、登録受付部２４１は、図１８又は図１９を出力し、ユーザからの設定の入力を受け付ける（ステップＳ１０６）。
【０１２７】
次に、登録受付部２４１は、ユーザによる設定が完了すると、個人ＩＤと、ステップＳ１０３で取得した生体情報から抽出した特徴を表すデータである認証用データの認証データ名と、入力された設定とを、個人認証設定テーブルに格納する（ステップＳ１０７）。
【０１２８】
＜＜個人用設定適用処理＞＞
図１０は、伝送端末１０が、ユーザの個人用設定を適用し、そのユーザの宛先リストを表示する処理を表すフローチャートである。
【０１２９】
まず、伝送端末１０の起動後に、認証部２２は、生体情報取得部２１を通じて取得したユーザの生体情報を用いて、認証を行う（ステップＳ２０１）。次に、個人ＩＤ特定部２４３は、ステップＳ２０１における認証により、認証されたユーザの個人ＩＤを特定する（ステップＳ２０２）。次に、個人設定読込部２４４は、個人認証設定管理テーブルを参照し、特定された個人ＩＤと関連付けられた設定を読み込む（ステップＳ２０３）。そして、個人設定適用部２４５は、読み込んだ設定を、当該伝送端末１０に反映する（ステップＳ２０４）。
【０１３０】
次いで、ログイン要求部１３は、ログイン要求部１３は、伝送管理システム５０に対して、当該伝送端末１０の端末ＩＤとパスワードとを送信することにより、ログイン要求を行う（ステップＳ２０５）。ログイン要求が受け入れられると、宛先リスト取得部２４６は、個人ＩＤを伝送管理システム５０に送信し、宛先リストを要求する（ステップＳ２０６）。次に、宛先リスト取得部２４６は、伝送管理システム５０から送信された、宛先リストを取得する（ステップＳ２０７）。そして、宛先リスト取得部２４６は、例えば図２６に例示される画面を出力し、宛先リストを表示する（ステップＳ２０８）。
【０１３１】
＜＜個人用設定登録問合せ処理＞＞
図１１は、伝送端末１０が、会議終了後に個人用設定の登録を促す処理を表すフローチャートである。ここで、当該処理フローは、伝送端末１０で会議が実行中の状態から、開始される。
【０１３２】
まず、会議の実行中に、登録受付部２４１は、生体情報取得部２１を通じて、ユーザの生体情報を取得する（ステップＳ３０１）。例えば、生体情報が、ユーザの顔の画像である場合には、会議画面として撮像した画像から、ユーザの顔の画像を取得することができる。次に、登録受付部２４１は、認証部２２が、ステップＳ３０１で取得した生体情報を用いて、認証に成功したか判断する（ステップＳ３０２）。ここで、認証が成功したと判断した場合、すなわち、ユーザが個人設定を行っている場合には、処理を終了する。
【０１３３】
一方、認証が失敗したと判断した場合、すなわち、ユーザが個人設定を行っていない場合には（ステップＳ３０２のＮＯ）、登録受付部２４１は、会議が終了したか判断する（ステップＳ３０３）。そして、登録受付部２４１は、会議が終了したと判断した場合には（ステップＳ３０３のＹＥＳ）、図２４に例示される、個人設定の登録を行うか問い合わせる問合せ画面を表示する（ステップＳ３０４）。一方、登録受付部２４１は、会議が終了していないと判断した場合には（ステップＳ３０３のＮＯ）、ステップＳ３０１に戻る。
【０１３４】
問合せ画面を表示した後、登録受付部２４１は、ユーザから、個人設定を行う旨の入力（図２４では、「はい」ボタンの押下）を受け付けたか判断する（ステップＳ３０５）。個人設定を行う旨の入力を受け付けていないと判断した場合（ステップＳ３０５のＮＯ）、処理を終了する。一方、個人設定を行う旨の入力を受け付けたと判断した場合（ステップＳ３０５のＹＥＳ）、図９のステップＳ１０５−Ｓ１０７と同様に、個人ＩＤの取得、設定入力の受付、及び個人認証設定登録を行う（ステップＳ３０６−Ｓ３０８）。
【０１３５】
＜＜システム全体の動作例＞＞
次に、上述した、図９−図１１の処理に対応する、システム全体の動作例を、図１２−図１４を用いて説明する。ここでは、個人設定を行っていないあるユーザが、伝送端末１０ａａ（端末ＩＤ「０１ａａ」）を使用する例を用いて、具体的に説明する。
【０１３６】
＜＜個人用設定登録動作＞＞
最初に、図１２を用いて、個人設定登録処理に係るシステム全体の動作例を説明する。
【０１３７】
まず、入力部２０が、ユーザによる電源ＯＮの操作を受け付けることにより、伝送端末１０ａａの電源がＯＮになる（ステップＳ４０１）。伝送端末１０ａａが起動されると、伝送端末１０ａａのログイン要求部１３は、通信ネットワーク２を通じて、伝送管理システム５０に、ログイン要求を行う（ステップＳ４０２）。このとき、ログイン要求部１３は、ログイン要求とともに、伝送端末１０ａａの端末ＩＤ「０１ａａ」と、パスワード「ａａａａ」とを、伝送管理システム５０に送信する。また、伝送端末１０ａａのＩＰアドレスも、伝送管理システム５０に通知される。
【０１３８】
伝送管理システム５０の伝送端末認証部５２は、ログイン要求とともに受信した伝送端末１０ａａの端末ＩＤとパスワードの組み合わせを用いて、伝送端末１０ａａを認証する（ステップＳ４０３）。ここでは、伝送端末認証部５２は、伝送端末１０ａａの端末ＩＤ「０１ａａ」と、パスワード「ａａａａ」との組み合わせが,伝送端末認証管理テーブル（図２９）に登録されているため、認証が成功したと判断する。
【０１３９】
次に、伝送管理システム５０の状態管理部５３は、伝送端末管理テーブル（図３０）の、端末ＩＤが「０１ａａ」のエントリの「稼動状態」を、「ＯＮライン（通話可能）」に設定する（ステップＳ４０４）。そして、伝送管理システム５０の伝送端末認証部５２は、認証が成功した旨を表す認証結果情報を、伝送端末１０ａａに送信する（ステップＳ４０５）。
【０１４０】
ログイン要求が受け入れられた後に、ユーザは、伝送端末１０を操作し、図１５に例示される、初期設定画面を開いたものとする。
【０１４１】
伝送端末１０ａａの登録受付部２４１は、図１５に例示される初期設定画面において、個人用設定ボタンの選択入力を受け付ける（ステップＳ４０６）。次に、登録受付部２４１は、図１６に例示される、生体情報取得画面を表示し、生体情報取得部２１を通じて、ユーザの生体情報を取得する（ステップＳ４０７）。ここでは、生体情報取得部２１は、カメラ１１２及び撮像素子１１３を通じて、ユーザの顔の画像を取得するものとする。
【０１４２】
次に、伝送端末１０ａａの登録受付部２４１は、認証部２２が、取得したユーザの顔の画像を用いて認証に失敗した（すなわち、ユーザが個人設定を行っていない）と判断し、登録受付部２４１は、個人ＩＤ取得部２４２に、個人ＩＤを取得するよう指示する。これを受けて、個人ＩＤ取得部２４２は、個人ＩＤ発行要求を、伝送管理システム５０に送信する（ステップＳ４０８）。伝送管理システム５０の個人ＩＤ発行部６１は、新たに個人ＩＤ「００００１」を発行する（ステップＳ４０９）（ここでは、個人ＩＤ「００００１」は、これまでに発行されていなかったものとする）。
【０１４３】
伝送端末１０ａａの個人ＩＤ取得部２４２は、伝送管理システム５０から送信された、個人ＩＤ「００００１」を取得する（ステップＳ４１０）。次に、登録受付部２４１は、図１８、図１９に例示される設定入力画面を出力し、設定の入力を受け付ける（ステップＳ４１１）。そして、入力が終了すると、登録受付部２４１は、以下の情報を、個人認証設定管理テーブル（図７）に格納する。
−ステップＳ４１０で取得した個人ＩＤ「００００１」
−ステップＳ４０７で取得した、顔の画像から特徴を抽出して生成した認証用データのデータ名「００００１ａ．ｊｐｇ」
−ユーザによって入力された設定（ネットワーク設定１、２、デフォルトとして利用するネットワーク設定の番号、言語）
その後、伝送管理システム５０の個人ＩＤ発行部６１は、宛先リスト管理テーブル（図６）に、ステップＳ４０９で発行した個人ＩＤのエントリを登録する（ステップＳ４１３）。個人ＩＤを取得したユーザは、図２５に例示される、Ｗｅｂブラウザの画面を通じて、宛先リストを登録又は編集することができる。
【０１４４】
次に、ユーザは、伝送端末１０を操作し、再度、図１５に例示される、初期設定画面を開いたものとする。
【０１４５】
伝送端末１０ａａの管理者設定管理部２３は、図１５に例示される、伝送端末１０に表示された初期設定画面において、「管理者用設定」ボタンの入力を受け付ける（ステップＳ４１４）。次に、管理者設定管理部２３は、ユーザから、管理者用パスワード「ＸＸＸＸＸＸＸＸＸＸ」の入力を受け付ける（ステップＳ４１５）。伝送管理システム５０の管理者認証部６３は、入力された管理者用パスワードと伝送端末１０ａａの端末ＩＤ「０１ａａ」を受信し、管理者パスワード管理テーブルを用いて、認証を行う（ステップＳ４１６）。
【０１４６】
管理者設定管理部２３は、伝送管理システム５０から、認証が成功したことを表す結果を受け取ると、図２３の管理者設定画面を出力し、ユーザからの設定入力を受け付ける（ステップＳ４１７）。そして、管理者設定管理部２３は、図２３の管理者設定画面において、「保存」ボタンが選択されると、その内容を、記憶部１００の０の管理者用設定情報１００２として記憶する（ステップＳ４１８）。
【０１４７】
＜＜個人設定適用動作＞＞
次に、図１３を用いて、個人設定適用処理に係るシステム全体の動作例を説明する。
【０１４８】
まず、入力部２０が、ユーザによる電源ＯＮの操作を受け付けることにより、伝送端末１０ａａの電源がＯＮになる（ステップＳ５０１）。伝送端末１０ａａが起動されると、認証部２２は、生体情報取得部２１が取得したユーザの顔の画像（抽出された特徴）と、個人認証設定管理テーブル（図７）の認証用データ名の示す認証用データを照合して、ユーザを認証する（ステップＳ５０２）。個人設定適用部２４５は、認証によって特定されたユーザの個人ＩＤ「００００１」に対応する個人設定を、当該伝送端末１０ａａに適用する（ステップＳ５０３）。
【０１４９】
次に、伝送端末１０ａａのログイン要求部１３は、通信ネットワーク２を通じて、伝送管理システム５０に、ログイン要求を行う（ステップＳ５０４）。このとき、ログイン要求部１３は、ログイン要求とともに、伝送端末１０ａａの端末ＩＤ「０１ａａ」と、パスワード「ａａａａ」とを、伝送管理システム５０に送信する。また、伝送端末１０ａａのＩＰアドレスも、伝送管理システム５０に通知される。
【０１５０】
伝送管理システム５０の伝送端末認証部５２は、ログイン要求とともに受信した伝送端末１０ａａの端末ＩＤとパスワードの組み合わせを用いて、伝送端末１０ａａを認証する（ステップＳ５０５）。ここでは、伝送端末認証部５２は、伝送端末１０ａａの端末ＩＤ「０１ａａ」と、パスワード「ａａａａ」との組み合わせが,伝送端末認証管理テーブル（図２９）に登録されているため、認証が成功したと判断する。
【０１５１】
次に、伝送管理システム５０の状態管理部５３は、伝送端末管理テーブル（図３０）の、端末ＩＤが「０１ａａ」のエントリの「稼動状態」を、「ＯＮライン（通話可能）」に設定する（ステップＳ５０６）。そして、伝送管理システム５０の伝送端末認証部５２は、認証が成功した旨を表す認証結果情報を、伝送端末１０ａａに送信する（ステップＳ５０７）。
【０１５２】
次に、伝送端末１０ａａの宛先リスト取得部２４６は、伝送管理システム５０に個人ＩＤ「００００１」を通知し、宛先リストを要求する（ステップＳ５０８）。伝送管理システム５０の伝送端末抽出部５４は、個人ＩＤをキーとして、宛先リスト管理テーブル（図６）を探索し、宛先端末の端末ＩＤを抽出する（ステップＳ５０９）。ここでは、宛先端末ＩＤ「０１ａｂ、０１ｂａ、０１ｂｂ」等が抽出される。そして、伝送端末抽出部５４は、抽出した宛先端末の端末ＩＤと、各端末ＩＤと対応する宛先名（図３０の伝送端末管理テーブルに記載）とを、宛先リストとして、伝送端末１０ａａに送信する（ステップＳ５１０）。
【０１５３】
伝送端末１０ａａの宛先リスト取得部２４６は、宛先リストを受信する（ステップＳ５１１）。そして、宛先リスト取得部２４６は、受信した宛先リストを、記憶部に記憶する（ステップＳ５１２）。
【０１５４】
一方、伝送管理システム５０の端末状態取得部５５は、ステップＳ５０９で抽出された宛先端末の稼動状態を、伝送端末管理テーブル（図３０）から取得する（ステップＳ５１３）。そして、端末状態取得部５５は、宛先端末の端末ＩＤと、取得した稼動状態とを、伝送端末１０ａａに送信する（ステップＳ５１４）。
【０１５５】
伝送端末１０ａａの宛先リスト取得部２４６は、宛先端末の端末ＩＤと、取得した稼動状態を受信する（ステップＳ５１５）。次に、宛先リスト取得部２４６は、受信した宛先端末の端末ＩＤと、取得した稼動状態を、記憶部１０００に記憶する（ステップＳ５１６）。そして、宛先リスト取得部２４６は、宛先端末の端末ＩＤと、名称と、稼動状態とを、図２６に例示される画面を用いて、表示する（ステップＳ５１７）。
【０１５６】
なお、予め管理者により、「生体情報による認証が成功したユーザに対してのみ伝送端末を利用できる」設定が有効とされている場合には、ステップＳ５０２における認証が失敗したとき、伝送端末１０ａａは、伝送管理システム５０への接続を行わなくてもよい。また、伝送端末１０ａａは、さらに、認証が失敗したとき、機能の制限（例えば、電源をＯＦＦにする、ネットワーク接続を切断する、特定の機能を使用できないようにする、あるいは、認証成功するまで操作を禁止する等）を行っても良い。
【０１５７】
また、図１３に示した動作例では、ユーザの認証を、伝送端末１０ａａの電源がＯＮにされた直後に行っているが、例えば、伝送端末１０ａａのログイン要求が成功した後（例えば、ステップＳ５０７の後）に行っても良い。
【０１５８】
＜＜個人設定登録問合せ動作＞＞
次に、図１４を用いて、個人設定登録問合せ処理に係るシステム全体の動作例を説明する。本動作例は、個人ＩＤを有さず、個人設定を行っていないユーザが、伝送端末１０ａａを用いて、会議を実行中であるものとして、説明を行う。
【０１５９】
まず、会議の実行中に、認証部２２は、生体情報取得部２１が取得したユーザの顔の画像（抽出された特徴）と、個人認証設定管理テーブル（図７）の認証用データ名の示す認証用データを照合して、ユーザを認証する（ステップＳ６０１）。ここでは、ユーザの顔の画像と一致する特徴を有する認証データが登録されていないため、認証は失敗する。次に、ユーザの操作により、会議が終了される（ステップＳ６０２）。
【０１６０】
会議が終了すると、登録受付部２４１は、図２４に例示される、個人設定の登録を行うか問い合わせる問合せ画面を表示する（ステップＳ６０３）。次に、登録受付部２４１は、個人設定を行う旨の入力を受け付ける（ステップＳ６０４）。
【０１６１】
その後は、図１２のステップＳ４０８−Ｓ４１３と同様の動作により、ユーザの個人ＩＤが発行され、設定が登録される（ステップＳ６０５−Ｓ６１０）。
【０１６２】
なお、ステップＳ６０３における問合せ画面は、予め管理者により、「会議が終了した後、個人設定を登録されていないユーザに対して、個人設定を行うよう促す画面を表示する」設定が有効である場合にのみ、表示されてもよい。
【０１６３】
＜＜本実施形態の主な効果＞＞
本実施形態における伝送端末１０は、伝送端末１０の起動後、生体情報を用いて、登録済みのユーザを識別することができ、そのユーザが予め登録した個人設定を自動的に反映させる事ができる。また、伝送端末１０は、ユーザが事前に登録した、宛先の候補となる宛先リストを表示することができ、そのユーザが頻繁に使用する宛先端末を特定しやすくなる。さらに、伝送端末１０は、生体情報を用いて、ユーザを認証することにより、不正なユーザによる伝送端末の使用を防ぐことが可能になる。
【符号の説明】
【０１６４】
１  伝送システム
２  通信ネットワーク
１０  伝送端末
１１  送受信部
１２  操作入力受付部
１３  ログイン要求部
１４  撮像部
１５ａ  音声入力部
１５ｂ  音声出力部
１６  最終絞込部
１７  表示制御部
１８  遅延検出部
１９  記憶・読出処理部
２０  入力部
２１  生体情報取得部
２２  認証部
２３  管理者設定管理部
２４  個人設定管理部
３０  中継装置
５０  伝送管理システム５０
６１  個人ＩＤ発行部
６２  宛先リスト登録受付部
６３  管理者認証部
２４１  登録受付部
２４２  個人ＩＤ取得部
２４３  個人ＩＤ特定部
２４４  個人設定読込部
２４５  個人設定適用部
２４６  宛先リスト取得部
１０００  記憶部
１００１  個人認証設定管理ＤＢ
１００２  管理者用設定情報
５０００  記憶部
５００８  管理者パスワード管理ＤＢ
【先行技術文献】
【特許文献】
【０１６５】
【特許文献１】特開２００４−９４７３６号公報
【図１】
2015061086.tif 000003
【図３】
2015061086.tif 000004
【図４】
2015061086.tif 000005
【図５】
2015061086.tif 000006
【図６】
2015061086.tif 000007
【図７】
2015061086.tif 000008
【図８】
2015061086.tif 000009
【図９】
2015061086.tif 000010
【図１０】
2015061086.tif 000011
【図１１】
2015061086.tif 000012
【図１２】
2015061086.tif 000013
【図１３】
2015061086.tif 000014
【図１４】
2015061086.tif 000015
【図１５】
2015061086.tif 000016
【図１６】
2015061086.tif 000017
【図１７】
2015061086.tif 000018
【図１８】
2015061086.tif 000019
【図１９】
2015061086.tif 000020
【図２０】
2015061086.tif 000021
【図２１】
2015061086.tif 000022
【図２２】
2015061086.tif 000023
【図２３】
2015061086.tif 000024
【図２４】
2015061086.tif 000025
【図２５】
2015061086.tif 000026
【図２６】
2015061086.tif 000027
【図２７】
2015061086.tif 000028
【図２８】
2015061086.tif 000029
【図２９】
2015061086.tif 000030
【図３０】
2015061086.tif 000031
【図３１】
2015061086.tif 000032
【図３２】
2015061086.tif 000033
【図３３】
2015061086.tif 000034
【図３４】
2015061086.tif 000035
【図２】
2015061086.tif 000036